(57)【要約】      （修正有）【課題】ハンドルを左右に回動させ、その回動位置に固定できる農業用歩行型管理機のハンドル角度調節装置を提供する。【解決手段】農業用歩行型管理機の機体上部に平坦な台面を備えたハンドル固定台２を固設し、該台面上に、上部には左右のハンドル６ａ、６ｂを固定し、下部には台面に対して密接する平坦面を備えた調整金具４を台面の前寄り部位に直立させた枢支ボルト３を介して左右回動可能に枢着し、調整金具４の平坦面の後寄り部位に、枢支ボルト３を中心とした円弧状の長孔７を形成し、該長孔７を貫通して固定台２の台面上に直立させたロッド９ａの突出部に調整金具４を緊緩可能に押さえる締付レバー１３を備えた緊緩機構９を設ける。【選択図】図２
0003206265.tif 000002
【実用新案登録請求の範囲】
【請求項１】
農業用歩行型管理機の機体の上部に平坦な台面を備えたハンドル固定台を固設し、
該ハンドル固定台の台面上に、上部には左右のハンドルを固定し、下部には前記台面に対して密接する平坦面を備えた調整金具を前記台面の前寄り部位に直立させた枢支ボルトを介して左右回動可能に枢着し、
該調整金具の平坦面の後寄り部位に、前記枢支ボルトを中心とした円弧状の長孔を形成し、該長孔を貫通して固定台の台面上に直立させたロッドの突出部に調整金具を緊緩可能に押さえる締付レバーを備えた緊緩機構を設けたことを特徴とするハンドル左右角度調節装置。
【請求項２】
緊緩機構を、ロッドの突出部には、座金状の台座を遊挿させ、該台座の上側に該ロッドを横向きに貫通した支持軸を設け、該支持軸の両側に、前記ロッドを挟んで枢支する二股部を基端部に形成すると共に該二股部に前記台座を上から大きく押圧する大径部と小さく押圧する小径部を偏芯円状に一体的に形成した締付レバーを枢着したことを特徴とする請求項１に記載のハンドル左右角度調節装置。
【請求項３】
ハンドル固定台と調整金具との間に、左右のハンドルの中心線と、機体の中心線とが平行となる位置で係止する中央位置決め機構を設け、
該中央位置決め機構は、左右のハンドルの中心線と、機体の中心線とが平行となる位置において、ハンドル固定台の台面に係止孔を設けると共に前記調整金具の平坦面の前記係止孔の直上部位に縦孔を設け、該縦孔上に直立させた筒体を設け、該筒体の内側上部に形成した雌ネジ部に該筒体の上から螺着した締付調節ボルトと該筒体内部に収納した金属ボールとの間に押しバネを装着したことを特徴とする請求項１又は２に記載のハンドル左右角度調節装置。
【請求項４】
調整金具の上部に、左右横向きに固着した枢支筒部内に枢支軸が嵌挿された枢支部を設け、左右のハンドルの基部を、前記枢支軸の両側に夫々上下罷動可能に枢支し、該枢支軸の両突出端部の一方側には固定ネジを螺着すると共に他方側にはつまみ部を有する締付ネジを螺着し、前記枢支筒部に対して該締付ネジを緩めることで左右のハンドルの基部を上下に回動させ、逆に締め付けることで左右のハンドルの高さ位置を固定可能としたことを特徴とする請求項１から３のうちのいずれかに記載のハンドル左右角度調節装置。
【考案の詳細な説明】
【技術分野】
【０００１】
本考案は農業用歩行型管理機におけるハンドルの左右への傾き角度を調節するハンドル左右角度調節装置に関する。
【背景技術】
【０００２】
通常の農業用歩行型管理機では左右のハンドルが機体中央に固定されており、畝を耕耘する際に、運転する人の足跡が畝の上面に残され、その足跡の窪みは種を撒いたり、苗を植えたりするには好ましくない。
これを避けるため、左右いずれか一方のハンドルの外側に身を寄せてハンドルを握り、畝間を歩行して運転することがあるが、その場合、体を捻った姿勢となるので運転し難く、転倒等の危険性が高まってしまうという問題があった。
【０００３】
これに対して、例えば、下記特許文献１の如き、ハンドルを左右に傾けられるハンドル構造とすれば、体を捻った無理な姿勢をとらずに傾けたハンドルを正面に持って運転できるようになる。
しかしながら、該特許文献１の構造は、ハンドルの左右への回動を受台に設けたピン孔にピンを入れて固定するものであるため、ハンドルを自由な位置に固定することができず、又ハンドルを固定させるためにピン孔へピンを出し入れするのが容易ではないという難点がある。
【先行技術文献】
【特許文献】
【０００４】
【特許文献１】実開平４−２７９０号公報
【考案の概要】
【考案が解決しようとする課題】
【０００５】
本考案は、上記実情に鑑み、容易な操作でハンドルを左右の運転し易い最適位置に傾けて固定できるハンドル左右角度調節装置を提供することを目的とする。
【課題を解決するための手段】
【０００６】
上記目的を達成するため、本考案のハンドル左右角度調節装置は、農業用歩行型管理機の機体の上部に平坦な台面を備えたハンドル固定台を固設し、該ハンドル固定台の台面上に、上部には左右のハンドルを固定し、下部には前記台面に対して密接する平坦面を備えた調整金具を前記台面の前寄り部位に直立させた枢支ボルトを介して左右回動可能に枢着し、  該調整金具の平坦面の後寄り部位に、前記枢支ボルトを中心とした円弧状の長孔を形成し、該長孔を貫通して固定台の台面上に直立させたロッドの突出部に調整金具を緊緩可能に押さえる締付レバーを備えた緊緩機構を設けたことを特徴とする。
【０００７】
請求項２の考案は、上記考案において、前記緊緩機構を、ロッドの突出部には、座金状の台座を遊挿させ、該台座の上側に該ロッドを横向きに貫通した支持軸を設け、該支持軸の両側に、前記ロッドを挟んで枢支する二股部を基端部に形成すると共に該二股部に前記台座の上から大きく押圧する大径部と小さく押圧する小径部を偏芯円状に一体的に形成した締付レバーを枢着したことを特徴とする。
【０００８】
請求項３の考案は、上記考案において、前記ハンドル固定台と調整金具との間に、左右のハンドルの中心線と、機体の中心線とが平行となる位置で係止する中央位置決め機構を設け、該中央位置決め機構は、左右のハンドルの中心線と、機体の中心線とが平行となる位置において、ハンドル固定台の台面に係止孔を設けると共に前記調整金具の平坦面の前記係止孔の直上部位に縦孔を設け、該縦孔上に直立させた筒体を設け、該筒体の内側上部に形成した雌ネジ部に該筒体の上から螺着した締付調節ボルトと該筒体内部に収納した金属ボールとの間に押しバネを装着したことを特徴とする。
【０００９】
請求項４の考案は、上記考案において、前記調整金具の上部に、左右横向きに固着した枢支筒部内に枢支軸が嵌挿された枢支部を設け、左右のハンドルの基部を、前記枢支軸の両側に夫々上下罷動可能に枢支し、該枢支軸の両突出端部の一方側には固定ネジを螺着すると共に他方側にはつまみ部を有する締付ネジを螺着し、前記枢支筒部に対して該締付ネジを緩めることで左右のハンドルの基部を上下に回動させ、逆に締め付けることで左右のハンドルの高さ位置を固定可能としたことを特徴とする。
【考案の効果】
【００１０】
本考案のハンドル左右角度調節装置は、左右のハンドルがハンドル固定台上で枢支ボルトを中心に調整金具を介して左右に回動するが、その際、ハンドル固定台の台面上に直立させたロッドに、調整金具が長孔の長さ範囲に拘束され、調整金具はその長さ範囲で自由に往復回動可能となる。
そして、その回動位置で、緊緩機構の締付レバーの操作によって容易にハンドルを固定することが可能となる。
又、前記締付レバーは、機体上部の調整金具の運転者に近い後側の容易に手が届く位置に設けられているので、運転者はハンドルの左右の傾斜角度の調節を容易に行うことが可能となる。
【００１１】
請求項２の考案は、調整金具上に設けた台座を押圧する大径部と小径部とが締付レバーの二股部に備わり、該締付レバーの単純な上げ下げによって、ハンドル固定台と調整金具とが緊緩可能となり、該調整金具に固定されたハンドルの左右の傾きの調節とその位置での固定が素早く楽に行えるようになる。
【００１２】
請求項３の考案は、中央位置決め機構によって機体に対して左右のハンドルの中心線の位置を正確に中央に合わせて固定することが可能となる。
【００１３】
請求項４の考案は、前記左右のハンドルを運転者の身長に合わせて運転しやすい高さに容易に調節することが可能となる。
【図面の簡単な説明】
【００１４】
【図１】本考案の使用状態を示す側面図である。
【図２】本考案のハンドルの中心線と機体の中心線とが平行な状態を示す平面図である。
【図３】ハンドルを右に傾けた状態を示す平面図である。
【図４】締付レバーでハンドルを固定した状態を示す側面図である。
【図５】締付レバーを緩めてハンドルを回動可能とした状態を示す側面図である。
【図６】中央位置決め機構の要部を示す縦断面図である。
【考案を実施するための形態】
【００１５】
本考案のハンドル左右角度調節装置の実施形態を図を参照して以下説明する。
図１は、機体１の下部に駆動輪とロータリとを備え、機体１の上部に左右のハンドル６を後方へ突設させた耕耘機を示した側面図であり、農業用歩行型管理機のうち該耕耘機に本考案のハンドル左右角度調節装置を装着した実施例で以下説明する。
【００１６】
本考案は、前記耕耘機の機体１の上部に、図４に示すように、水平状に平坦な台面２ａを備えた鉄板製のハンドル固定台２をボルトで固着し、該台面２ａ上には、下部に該台面２ａに対して密接する平坦面４ａを備えたハンドル取付け用の調整金具４を配する。
そして、図２に示すように、該調整金具４は、該ハンドル固定台の台面２ａ上の前寄り部位に直立させた枢支ボルト３を介して該台面２ａの上を左右スライドして回動可能となるように枢着する。
そして、該調整金具４の上部には左右のハンドル６ａ、６ｂを固定する。この結果、左右のハンドル６ａ、６ｂは記枢支ボルト３を中心に左右回動可能となる。
【００１７】
前記調整金具４の上部への左右のハンドル６ａ、６ｂの固定は、溶接やボルトで固定する態様が可能であるが、図１に示すように、調整金具４の上部に枢支部５を設け、該枢支部５にハンドル６の基端部を上下罷動可能に枢支し、耕耘機を使用する人の背丈に合わせて、ハンドル６の上下の回動角度の調節とその角度での固定を行えるようにすることも可能である。
【００１８】
この形態のハンドル６の上下角度の調節及び固定は、枢支部５の両側からハンドル６の基端部をネジで押さえる形態が可能である。
例えば、図６に示すように、前記枢支部５は調整金具４の上部に左右横向きの枢支筒部２６を溶接で固着し、該枢支筒部２６内に枢支ボルト軸２５を嵌挿し、左右のハンドル６ａ、６ｂの基部２４に前記枢支軸５を嵌挿するための孔を設けてその孔に枢支ボルト軸２５を嵌めて枢支筒部２６の両側に左右のハンドル６ａ、６ｂを夫々上下罷動可能に枢支し、更に左右のハンドル６ａ、６ｂの基部２４から外側に突出した枢支ボルト軸２５の両突出端部の一方側（図６の右側）には、固定ナット２７を螺着すると共に他方側（図６の左側）には、つまみ部を有する締付ネジ２８を螺着した形態が可能である。
【００１９】
この形態では、つまみ部を持って締付ネジ２８を緩めることで、左右のハンドル６ａ、６ｂの基部２４に対する枢支筒部２６の両側への締め付けを解除し、左右のハンドル６ａ、６ｂを上下回動させて運転者の背丈に合ったハンドルの高さ位置に移動させ、そして、その位置を決めたら前記締付ネジ２８で枢支筒部２６へ左右のハンドル６ａ、６ｂの基部２４を締め付けることで左右のハンドル６ａ、６ｂを固定させることが可能となる。
【００２０】
なお、左右のハンドル６ａ、６ｂの上下の回動を確実に停止させて固定させるには、菊座等の座金（図省略）を、枢支筒部２６の両端と左右のハンドル６ａ、６ｂの基部２４との間に夫々挟むことで大きい摩擦抵抗で強く固定することができるが、図２に示すように、前記枢支筒部２６の両端部と前記枢支ボルト軸２５の両端部との間に対向する二つのクラウンギア２９を、一方は前記枢支筒部２６端部に固着し、他方はハンドル６の基部２４に固着した態様では、両側から締付ネジ２８で対向面を押圧してギア面を噛み合わせることでハンドル６の回動が停止されハンドル６を確実に固定させることが可能となる。
【００２１】
又、図２に示すように、該調整金具４のハンドル６を固定するための前記枢支筒部２６を避けた平坦面４ａの後寄り部位には、前記枢支ボルト３を中心とした円弧状の長孔７を形成すると共に、図４に示すように、前記ハンドル固定台２の台面２ａ上には、該長孔７を貫通するロッド９ａを直立させる。
該長孔７は、図２に示すように、調整金具４の平坦面４ａに左右のハンドル６ａ、６ｂの中心線Ｙの両側が全体で角度αを得る長さで左右対称となるように形成する。
【００２２】
そして、図４に示すように、該ロッド９ａには、前記ハンドル固定台２とで調整金具４を挟み、締付レバー１３の操作によって該押圧を弱めての調整金具４の回動と、逆に押圧を強めての調整金具４の固定とが可能な緊緩機構９を設ける。
【００２３】
前記緊緩機構９は、例えば、図４及び図５に示すように、ロッド９ａをハンドル固定台２に設けた止め孔８と前記長孔７とを貫通させて設け、該ロッド９ａの下側の突出部にはハンドル固定台２を下から押さえるボルト等の係止部１０を配着し、前記長孔７内に直立したロッド９ａの上側の突出部には座金状の台座１１を遊挿する。そして、該ロッド９ａの台座１１の更に上側には、該台座１１への押圧を緩めることと強めることが可能な締付レバー１３を備えた構造とすることが可能である。
【００２４】
その構造では、前記ロッド９ａの上側は、図４に示すように、前記台座１１より上側の突出部分に、横孔を設けて該横孔に支持軸１２をその両端部がロッド９ａの周面から突出した状態で貫挿し、該支持軸１２の突出両端には、図２に示すように、前記ロッド９ａを避けた二股部１３ａ、１３ｂを基端部に形成した締付レバー１３を、該二股部１３ａ、１３ｂに設けた枢支孔を嵌めて該締付レバー１３の末端側が上下に回動可能となるように枢着する。
そして、図４及び図５に示すように、前記締付レバー１３の二股部１３ａ、１３ｂには、前記台座１１を強く押圧可能な大径部１４ａと弱く押圧可能な小径部１４ｂとを前記支持軸１２を中心とした偏芯円状に形成した締付面１４を備える。
【００２５】
上記形態の緊緩機構９では、図４に示すように、締付レバー１３を後ろに倒した状態では大径部１４ａが下側となって前記台座１１を強く押圧して調整金具４を強く挟み付けてハンドル固定台２に調整金具４を固定し、又図５に示すように、締付レバー１３を上げた状態では小径部１４ｂが下側となってハンドル固定台２に対する調整金具４の締め付けを緩めて、前記ロッド９ａに対する前記長孔７の長さ範囲に調整金具４を左右へ回動させることが可能となる。
なお、図２は、枢支ボルト３を中心とし、機体の中心線Ｘに対して左右のハンドルの中心線Ｙの回動角度の移動範囲αが前記長孔７の長さ範囲にあることを示し、図３は、機体の中心線Ｘに対して左右のハンドルの中心線Ｙを枢支ボルト３を中心に角度βだけ右に回動させて傾けた状態を示している。
【００２６】
前記緊緩機構９は、ロッド９ａの上側から前記調整金具４を挟んで、ハンドル固定台２に調整金具４を強く押圧することと弱く押圧することとが可能となる緊緩手段であり、上記如く大径部１４ａと小径部１４ｂによるカム的な要素の構造の他に、ロッド９ａに設けた雄ネジに締付レバー１３に設けた雌ネジを回転させるネジ締め的な要素で緊緩させる構造（図省略）も可能であり、上記の大径部１４ａと小径部１４ｂを備えた構造に限定するものではない。
【００２７】
又、図２に示すように、左右のハンドル６ａ、６ｂの中心線Ｙと、機体の中心線Ｘとが平行となる位置で左右の回動が一時的に停止可能となる中央位置決め機構１５を設けることができる。
該中央位置決め機構１５は、図２に示すように、左右のハンド６ａ、６ｂの中心線Ｙと、機体の中心線Ｘとが平行となる位置において、図６に示すように、ハンドル固定台２の台面２ａに係止孔１６を設け、前記調整金具４の平坦面４ａの前記係止孔１６の直上部位に縦孔１７を設け、平坦面４ａの縦孔１７上に直立させて筒体１８を設ける。
そして、該筒体１８の内側上部に形成した雌ネジ部２１に締付調節ボルト１９の雄ネジ部２０を螺着し、該筒体１８内部に金属ボール２２を収納し、前記締付調節ボルト１９の下端部と前記金属ボール２２との間にスプリング製の押しバネ２３を装着する。
【００２８】
前記中央位置決め機構１５の上記形態では、左右のハンド６ａ、６ｂの中心線Ｙが機体の中心線Ｘと平行となる位置では、係止孔１６に金属ボール２２が押しバネ２３の押圧で落とし込まれる。そして、その係止孔１６から金属ボール２２が係止孔１６の縁を乗り越えて抜け出るには押しバネ２３の押圧力に抗した力が必要となるので、左右の回動が一時的に停止され、その停止位置は、左右のハンドル６ａ、６ｂの中心線Ｙと機体の中心線Ｘとが正確に平行となる位置となる。
【００２９】
そして、この状態のとき、締付レバー１３を操作し、ハンドル６を固定させれば左右のハンド６ａ、６ｂを正確に機体１の中央で固定することが可能となる。
畝間を歩行して耕耘する場合や道路の移動等に際して、運転者は左右のハンドル６ａ、６ｂの間に体を入れて正面運転を行うが、その際の運転ではハンドルの微妙な位置ズレが運転に悪影響を及ぼすおそれがある。これに対して、本考案ではハンドル６を容易に機体１の正確な中央位置に固定できるので正常な感覚での運転に役立たせることが可能となる。
【産業上の利用可能性】
【００３０】
以上耕耘機を例に本考案のハンドル左右角度調節装置を説明したが、本考案は耕耘機以外に畝形成機等の農業用の各種歩行型管理機に使用することも可能である。
【符号の説明】
【００３１】
１  機体
２  ハンドル固定台
２ａ  台面
３  枢支ボルト
４  調整金具
４ａ  平坦面
５  枢支部
６  ハンドル
６ａ  左ハンドル
６ｂ  右ハンドル
７  長孔
８  止め孔
９  緊緩機構
９ａ  ロッド
１０  係止部
１１  台座
１２  支持軸
１３  締付レバー
１３ａ、１３ｂ  二股部
１４  締付面
１４ａ  大径部
１４ｂ  小径部
１５  中央位置決め機構
１６  係止孔
１７  縦孔
１８  筒体
１９  締付調節ボルト
２０  雄ネジ部
２１  雌ネジ部
２２  金属ボール
２３  押しバネ
２４  ハンドルの基端部
２５  枢支ボルト軸
２６  枢支筒部
２７  固定ナット
２８  締付ネジ
２９  クラウンギア
Ｘ  機体の中心線
Ｙ  左右のハンドルの中心線
【図１】
0003206265.tif 000003
【図２】
0003206265.tif 000004
【図３】
0003206265.tif 000005
【図４】
0003206265.tif 000006
【図５】
0003206265.tif 000007
【図６】
0003206265.tif 000008